【手続補正書】
【提出日】平成26年5月29日(2014.5.29)
【手続補正１】
【補正対象書類名】特許請求の範囲
【補正対象項目名】全文
【補正方法】変更
【補正の内容】
【特許請求の範囲】
【請求項１】
ＣＰ（Cyclic Prefix）がExtended CPであり、Duplex方式がＴＤＤであり、１つのサブフレーム内にダウンリンクとアップリンク用シンボルが共に存在する特殊サブフレームである通信システム条件下で、８個のアンテナポートに対するＣＳＩ−ＲＳを多数のリソースブロック（ＲＥ）から構成された資源領域に割り当てるプロセッサを備える装置であって、
前記プロセッサは
周波数帯域における１２のサブキャリア毎も１つのサブキャリアに対応し、サブフレームにおける８及び９番目に対応するＲＥに割り当てられる１組のアンテナポートのためのＣＳＩ−ＲＳは、Extended CPのための全部で１２のシンボルを有する１つのサブフレームを有し、
前記１組のアンテナポートのためのＣＳＩ−ＲＳは同一のＲＥｓに割り当てられ、前記１組のアンテナポートにおける第１のアンテナポートのためのＣＳＩ−ＲＳ及び前記１組のアンテナポートにおける第２のアンテナポートのためのＣＳＩ−ＲＳは異なる直交符号によって互いに区別でき、
アンテナポートの２つの隣接する組の第１の組は第１のＲＥｓに割り当てられ、アンテナポートの２つの隣接する組の第２の組は第２のＲＥｓに割り当てられ、
前記第１のＲＥｓ及び前記第２のＲＥｓは周波数軸に沿って第１ＲＥｓ及び前記第２のＲＥｓの間で２つのＲＥｓを有することで間隔を有するように割り当てられる、ことを特徴とする装置。
【請求項２】
高いアンテナポートナンバーのＣＳＩ−ＲＳは周波数軸でより低いサブキャリアインデックスを有するＲＥｓに割り当てられる
ことを特徴とする請求項１に記載の装置。
【請求項３】
ＣＳＩ−ＲＳ伝送のための（７番目、８番目）、（５番目、６番目）、（３番目、４番目）、（１番目、２番目）のアンテナポートのＣＳＩ−ＲＳは、０、３、６および９のリソースブロックのうちのサブキャリアインデックス（すなわち、リソースブロックの１番目、４番目、７番目および１０番目のサブキャリア）を有する２つのＲＥに各々割当てられる
ことを特徴とする請求項１に記載の装置。
【請求項４】
ＣＰ（Cyclic Prefix）がExtended CPであり、Duplex方式がＴＤＤであり、１つのサブフレーム内にダウンリンクとアップリンク用シンボルが共に存在する特殊サブフレームである通信システム条件下で、８個のアンテナポートに対するＣＳＩ−ＲＳを多数のリソースブロック（ＲＥ）から構成された資源領域に割り当てるプロセッサを備える装置のための方法であって、
前記方法は、
前記プロセッサによって、周波数帯域における１２のサブキャリア毎も１つのサブキャリアに対応し、サブフレームにおける８及び９番目に対応するＲＥに割り当てられる１組のアンテナポートのためのＣＳＩ−ＲＳは、Extended CPのための全部で１２のシンボルを有する１つのサブフレームを割り当て、
前記１組のアンテナポートのためのＣＳＩ−ＲＳは同一のＲＥｓに割り当てられ、前記１組のアンテナポートにおける第１のアンテナポートのためのＣＳＩ−ＲＳ及び前記１組のアンテナポートにおける第２のアンテナポートのためのＣＳＩ−ＲＳは異なる直交符号によって互いに区別でき、
アンテナポートの２つの隣接する組の第１の組は第１のＲＥｓに割り当てられ、アンテナポートの２つの隣接する組の第２の組は第２のＲＥｓに割り当てられ、
前記第１のＲＥｓ及び前記第２のＲＥｓは周波数軸に沿って第１ＲＥｓ及び前記第２のＲＥｓの間で２つのＲＥｓを有することで間隔を有するように割り当てられることを特徴とする方法。
【請求項５】
高いアンテナポートナンバーのＣＳＩ−ＲＳは周波数軸でより低いサブキャリアインデックスを有するＲＥｓに割り当てられる
ことを特徴とする請求項４に記載の方法。
【請求項６】
ＣＳＩ−ＲＳ伝送のための（７番目、８番目）、（５番目、６番目）、（３番目、４番目）、（１番目、２番目）のアンテナポートのＣＳＩ−ＲＳは、０、３、６および９のリソースブロックのうちのサブキャリアインデックス（すなわち、リソースブロックの１番目、４番目、７番目および１０番目のサブキャリア）を有する２つのＲＥに各々割当てられる
ことを特徴とする請求項４に記載の方法。
【請求項７】
チャネル状態情報−基準信号（ＣＳＩ−ＲＳｓ）を受信する装置であって、
前記装置は、
ＣＰ（Cyclic Prefix）がExtended CPであり、Duplex方式がＴＤＤであり、１つのサブフレーム内にダウンリンクとアップリンク用シンボルが共に存在する特殊サブフレームである通信システム条件下で、８個のアンテナポートに対するＣＳＩ−ＲＳが割り当てられて生成されたＯＦＤＭ信号を受信する受信処理部と、
前記受信処理部で受信された信号で特定ＲＥ（Resource Element）に割り当てられた多重アンテナポートに対するＣＳＩ−ＲＳを抽出するＣＳＩ−ＲＳ抽出部と、
前記抽出されたＣＳＩ−ＲＳに基づいてチャンネル状態情報（ＣＳＩ）を測定するチャンネル状態測定部と、を含み、
前記１組のアンテナポートのためのＣＳＩ−ＲＳは同一のＲＥｓに割り当てられ、前記１組のアンテナポートにおける第１のアンテナポートのためのＣＳＩ−ＲＳ及び前記１組のアンテナポートにおける第２のアンテナポートのためのＣＳＩ−ＲＳは異なる直交符号によって互いに区別でき、
アンテナポートの２つの隣接する組の第１の組は第１のＲＥｓに割り当てられ、アンテナポートの２つの隣接する組の第２の組は第２のＲＥｓに割り当てられ、
前記第１のＲＥｓ及び前記第２のＲＥｓは周波数軸に沿って第１ＲＥｓ及び前記第２のＲＥｓの間で２つのＲＥｓを有することで間隔を有するように割り当てられることを特徴とするチャネル状態情報−基準信号（ＣＳＩ−ＲＳｓ）を受信する装置。
【請求項８】
高いアンテナポートナンバーのＣＳＩ−ＲＳは周波数軸でより低いサブキャリアインデックスを有するＲＥｓに割り当てられる
ことを特徴とする請求項７に記載のチャネル状態情報−基準信号（ＣＳＩ−ＲＳｓ）を受信する装置。
【請求項９】
ＣＳＩ−ＲＳ伝送のための（７番目，８番目），（５番目，６番目），（３番目，４番目），（１番目，２番目）のアンテナポートのＣＳＩ−ＲＳは，０，３，６および９のリソースブロックのうちのサブキャリアインデックス（すなわち，リソースブロックの１番目，４番目，７番目および１０番目のサブキャリア）を有する２つのＲＥに割当てられる
ことを特徴とする請求項７に記載のチャネル状態情報−基準信号（ＣＳＩ−ＲＳｓ）を受信する装置。
【請求項１０】
チャネル状態情報−基準信号（ＣＳＩ−ＲＳ）を受信する受信装置を有する装置のための方法において，
ＣＰがＣＰとして採用され，時間分割（ＴＤＤ）スキームがデュプレックススキームとして採用される場合において，最大８つのアンテナのためのＣＳＩ−ＲＳの割り当てを通じて生成されるＯＦＤＭ信号を前記受信装置によって受信し，
受信された信号から特定のＲＥに割当てられた複数のアンテナポートの各々のためのＣＳＩ−ＲＳを抽出し，
抽出されたＣＳＩ−ＲＳに基づき，チャネル状態情報−基準信号（ＣＳＩ−ＲＳ）を取得し，
周波数帯域における１２のサブキャリア毎も１つのサブキャリアに対応し、サブフレームにおける８及び９番目に対応するＲＥに割り当てられる１組のアンテナポートのためのＣＳＩ−ＲＳは、Extended CPのための全部で１２のシンボルを有する１つのサブフレームを有し、
前記１組のアンテナポートのためのＣＳＩ−ＲＳは同一のＲＥｓに割り当てられ、前記１組のアンテナポートにおける第１のアンテナポートのためのＣＳＩ−ＲＳ及び前記１組のアンテナポートにおける第２のアンテナポートのためのＣＳＩ−ＲＳは異なる直交符号によって互いに区別でき、
アンテナポートの２つの隣接する組の第１の組は第１のＲＥｓに割り当てられ、アンテナポートの２つの隣接する組の第２の組は第２のＲＥｓに割り当てられ、
前記第１のＲＥｓ及び前記第２のＲＥｓは周波数軸に沿って第１ＲＥｓ及び前記第２のＲＥｓの間で２つのＲＥｓを有することで間隔を有するように割り当てられる
ことを特徴とするチャネル状態情報−基準信号（ＣＳＩ−ＲＳ）を受信する受信装置を有する装置のための方法。
【請求項１１】
高いアンテナポートナンバーのＣＳＩ−ＲＳは周波数軸でより低いサブキャリアインデックスを有するＲＥｓに割り当てられる
ことを特徴とする請求項１０に記載のチャネル状態情報−基準信号（ＣＳＩ−ＲＳ）を受信する受信装置を有する装置のための方法。
【請求項１２】
ＣＳＩ−ＲＳ伝送のための（７番目、８番目）、（５番目、６番目）、（３番目、４番目）、（１番目、２番目）のアンテナポートのＣＳＩ−ＲＳは、０、３、６および９のリソースブロックのうちのサブキャリアインデックス（すなわち、リソースブロックの１番目、４番目、７番目および１０番目のサブキャリア）を有する２つのＲＥに各々割当てられる
ことを特徴とする請求項１０に記載のチャネル状態情報−基準信号（ＣＳＩ−ＲＳ）を受信する受信装置を有する装置のための方法。
【手続補正２】
【補正対象書類名】明細書
【補正対象項目名】０２１０
【補正方法】変更
【補正の内容】
【０２１０】
本実施形態によるＣＳＩ−ＲＳ割当方法は、各セル（グループ）別及びアンテナポート別ＣＳＩ−ＲＳ信号を生成するステップ（Ｓ１６１０）と、ＣＳＩ−ＲＳが割り当てられるサブフレームの構成情報と、セル（グループ）識別情報を含むシステム情報を入力または確認するステップ（Ｓ１６２０）と、上記サブフレーム構成情報とシステム情報を用いて１つ以上のセル（グループ）別に時間／周波数資源で直交性を有するように各アンテナポートのＣＳＩ−ＲＳを資源空間に割り当てるステップ（Ｓ１６３０）を含んで構成される。
【手続補正３】
【補正対象書類名】明細書
【補正対象項目名】０２１２
【補正方法】変更
【補正の内容】
【０２１２】
ＣＳＩ−ＲＳを割り当てるステップ（Ｓ１６３０）では、確認されたサブフレーム構成情報（ＣＰ長さ、Duplex方式）から定まるサブフレームのタイプと、既存の通信システムの資源の重複か否か（ＡＰ５への重複割当か否か）などを考慮して、図２乃至１４で説明したような方式により、各セル（グループ）別及びアンテナポートのＣＳＩ−ＲＳを時間／周波数資源空間に割り当てる。
【手続補正４】
【補正対象書類名】図面
【補正対象項目名】図３
【補正方法】変更
【補正の内容】
【図３】
2013535128.tif 000001
【手続補正５】
【補正対象書類名】図面
【補正対象項目名】図５
【補正方法】変更
【補正の内容】
【図５】
2013535128.tif 000002
【手続補正６】
【補正対象書類名】図面
【補正対象項目名】図９
【補正方法】変更
【補正の内容】
【図９】
2013535128.tif 000003
【手続補正７】
【補正対象書類名】図面
【補正対象項目名】図１２
【補正方法】変更
【補正の内容】
【図１２】
2013535128.tif 000004
【手続補正８】
【補正対象書類名】図面
【補正対象項目名】図１３
【補正方法】変更
【補正の内容】
【図１３】
2013535128.tif 000005
【手続補正９】
【補正対象書類名】図面
【補正対象項目名】図１４
【補正方法】変更
【補正の内容】
【図１４】
2013535128.tif 000006